(57)【要約】【課題】塵埃がフィルタに囲まれた空間内に散在することを抑制するフィルタ清掃装置を備えた、空調室内機を提供する。【解決手段】  空調室内機２では、支持枠４０がフィルタ２１の移動方向と交差する方向に延びる横桟４５ａを有している。塵埃は環形状のフィルタ２１に囲まれた空間に滞留し易いが、横桟４５ａにはフィルタ２１と対峙する面に凹部４５ａａが成形されているので、塵埃が掻き取られ難く、塵埃が横桟のエッジにたまって塊になることが抑制される。【選択図】図５
2011080637.tif 000002
【特許請求の範囲】
【請求項１】
フィルタ（２１）を移動させながら前記フィルタ（２１）に付着した塵埃を除去するフィルタ清掃機構付きの空調室内機であって、
前記フィルタ（２１）を支え、少なくとも前記フィルタ（２１）の移動方向と交差する方向に延びる横桟（４５ａ）を有する支持枠（４０）を備え、
前記横桟（４５ａ）には、前記フィルタ（２１）と対峙する面に凹部（４５ａａ）が成形されている、
空調室内機（２）。
【請求項２】
フィルタ（２１）を移動させながら前記フィルタ（２１）に付着した塵埃を除去するフィルタ清掃機構付きの空調室内機であって、
前記フィルタ（２１）を支え、前記フィルタ（２１）の移動方向と交差する方向に延びる横桟（４５ａ）および前記フィルタ（２１）の移動方向に沿って延びる縦桟（４５ｂ）を有する支持枠（４０）を備え、
前記横桟（４５ａ）の前記フィルタ（２１）と対峙する面が、前記縦桟（４５ｂ）の前記フィルタ（２１）と対峙する面よりも前記フィルタ（２１）から離れている、
空調室内機（２）。
【請求項３】
前記フィルタ（２１）は、環形状に成形され、前記支持枠（４０）に周回自在に支持される、
請求項１又は請求項２に記載の空調室内機（２）。
【請求項４】
前記支持枠（４０）は、環形状の前記フィルタ（２１）を吸い込み空気の風上側にせり出させて前記フィルタ（２１）に湾曲部を形成する、
請求項３に記載の空調室内機（２）。
【発明の詳細な説明】
【技術分野】
【０００１】
本発明は、空調室内機に関し、特に、フィルタに付着した塵埃を自動的に除去するフィルタ清掃機構付きの空調室内機に関する。
【背景技術】
【０００２】
近年、フィルタ清掃機構付きの空調室内機が広く普及しており、例えば、特許文献１（特開２００９−８５５０４公報の実施例３）に開示されているフィルタ清掃機構では、環形状に成形されたフィルタが室内熱交換器の風上側に配置され、そのフィルタは回転するローラーとの摩擦力によって周回し、ブラシのような掻き取り部材がそのフィルタに接触して塵埃を掻き落している。
【発明の概要】
【発明が解決しようとする課題】
【０００３】
特許文献１に記載の空調室内機では、環形状のフィルタの内側に空間が形成されるので、フィルタを通過した塵埃はその空間内に滞留する。特許文献１には記載されていないが、その空間内に滞留する塵埃は、フィルタが周回するときにフィルタを内側から支える支持部材に掻き取られ、塊になってその空間内に散在する可能性がある。
【０００４】
本発明の課題は、塵埃がフィルタに囲まれた空間内に散在することを抑制するフィルタ清掃機構付きの空調室内機を提供することにある。
【課題を解決するための手段】
【０００５】
第１発明に係る空調室内機は、フィルタを移動させながらフィルタに付着した塵埃を除去するフィルタ清掃機構付きの空調室内機であって、フィルタを支える支持枠を備えている。支持枠は、少なくともフィルタの移動方向と交差する方向に延びる横桟を有している。横桟には、フィルタと対峙する面に凹部が成形されている。
【０００６】
フィルタが移動するとき、横桟のフィルタと対峙する面がフィルタに付着している塵埃を掻き取るので、その塵埃が横桟のエッジにたまって塊になり易い。しかし、この空調室内機では、横桟のフィルタと対峙する面に凹部が成形されているので、塵埃が掻き取られ難く、塵埃が横桟のエッジにたまって塊になることが抑制される。
【０００７】
第２発明に係る空調室内機は、フィルタを移動させながらフィルタに付着した塵埃を除去するフィルタ清掃機構付きの空調室内機であって、フィルタを支える支持枠を備えている。支持枠は、フィルタの移動方向と交差する方向に延びる横桟およびフィルタの移動方向に沿って延びる縦桟を有している。横桟のフィルタと対峙する面は、縦桟のフィルタと対峙する面よりもフィルタから離れている。
【０００８】
この空調室内機では、縦桟が先にフィルタに接触するのでフィルタが弛まない限り横桟に接触しない。それゆえ、フィルタが移動するとき、塵埃が横桟に掻き取られ難く、塵埃が横桟のエッジにたまって塊になることが抑制される。
【０００９】
第３発明に係る空調室内機は、第１発明または第２発明に係る空調室内機であって、フィルタが、環形状に成形され、支持枠に周回自在に支持される。この空調室内機では、塵埃は環形状のフィルタに囲まれた空間に滞留し易いが、横桟のフィルタと対峙する面に凹部が成形され、或は横桟がフィルタから離れていれば、塵埃が掻き取られ難いので、塵埃が横桟のエッジにたまって塊になることが抑制される。
【００１０】
第４発明に係る空調室内機は、第３発明に係る空調室内機であって、支持枠が、環形状のフィルタを吸い込み空気の風上側にせり出させてフィルタに湾曲部を形成する。この空調室内機では、フィルタの風上側は、吸い込み空気の動圧によって窪んで横桟に接触し易くなる。それゆえ、フィルタを吸い込み空気の風上側にせり出させて湾曲部を形成すれば、フィルタに張力が作用して弛み難くなり、横桟との接触が抑制される。その結果、塵埃が横桟に掻き取られ難く、塵埃が横桟のエッジにたまって塊になることが抑制される。
【発明の効果】
【００１１】
第１発明から請求項４のいずれか１つに係る空調室内機では、塵埃が横桟のエッジにたまって塊になることが抑制されるので、塵埃がフィルタに囲まれた空間内に散在することが抑制される。
【図面の簡単な説明】
【００１２】
【図１】本発明の一実施形態に係る空調室内機の断面図。
【図２】フィルタ清掃装置の斜視図。
【図３】フィルタ清掃装置の分解斜視図。
【図４】図２のＡ−Ａ曲線を通る平面によって切断されたフィルタ清掃装置の断面図。
【図５】支持枠の拡大斜視図。
【図６】図５の支持枠の部分拡大斜視図。
【図７】第１変形例に係る空調室内機が備えるフィルタ清掃装置の支持枠の部分拡大斜視図。
【図８】第２変形例に係る空調室内機が備えるフィルタ清掃装置の支持枠の部分拡大斜視図。
【図９】第３変形例に係る空調室内機が備えるフィルタ清掃装置の支持枠の部分拡大斜視図。
【図１０】他の実施形態に係る空調室内機が備えるフィルタ清掃装置の支持枠の斜視図。
【発明を実施するための形態】
【００１３】
以下図面を参照しながら、本発明の実施形態について説明する。なお、以下の実施形態は、本発明の具体例であって、本発明の技術的範囲を限定するものではない。
【００１４】
＜空調室内機２＞
図１は、本発明の一実施形態に係る空調室内機の断面図である。図１において、本体１０の外郭は、グリル１０ａと前面パネル１０ｂと背面板１０ｃとで構成されている。本体１０の内部には、フレーム１１、室内熱交換器１２、ファン１３、及びフィルタ２１が配置されている。
【００１５】
室内熱交換器１２は、通過する空気との間で熱交換を行う。ファン１３は、室内から取り込んだ空気を、室内熱交換器１２に当てて通過させた後、室内に吹き出す。室内熱交換器１２及びファン１３は、フレーム１１に取り付けられている。
【００１６】
フレーム１１の前面下部には、吹出口１５が設けられており、吹出口１５から吹き出される空気を案内する水平フラップ１７が、吹出口１５に設けられている。水平フラップ１７は、空気の吹出方向を変更したり、吹出口１５を開閉したりすることができる。
【００１７】
グリル１０ａと室内熱交換器１２との間にはフィルタ２１が配置されており、室内熱交換器１２に向って流入してくる空気に含まれる塵埃を除去する。また、空調室内機２は、塵埃が付着したフィルタ２１を自動清掃するフィルタ清掃装置７０を備えている。以下、フィルタ清掃装置７０に関連する部材について図面を用いて説明する。
【００１８】
図２は、フィルタ清掃装置の斜視図である。また、図３は、図２のフィルタ清掃装置の分解斜視図である。図１、図２及び図３において、フィルタ清掃装置７０は、フィルタ２１を支持する支持枠４０と、支持枠４０を支持する第２支持枠５０とを有している。
【００１９】
（フィルタ２１）
フィルタ２１は、例えば、樹脂製の糸で平織りされた網であり、環形状に成形されている。なお、フィルタ２１の織り方は平織りに限定されるのではなく、綾織りなど他の織り方でもよい。図３に示すように、フィルタ２１には、一般のフィルタに見られるような補強用の縁やリブが設けられていない。このため、フィルタ２１は自身で安定した形状を維持することができないので、支持枠４０がフィルタ２１を支持し、フィルタ２１に所定の環形状を形成させている。なお、説明の便宜上、フィルタ２１のうち、折り返し部分を除いて、フィルタ２１の風上側に位置する部分を正面側フィルタ部分２１１とよび、フィルタ２１の風下側に位置する部分を背面側フィルタ部分２１２とよぶ。
【００２０】
（支持枠４０）
図３において、支持枠４０は、第１支持板４３、第２支持板４４、複数の横桟４５ａ及び縦桟４５ｂを含んでいる。第１支持板４３と第２支持板４４とは、横桟４５ａによって互いの端面が向かい合うように平行に離れて連結されている。第１支持板４３は、長手方向の一端に、ローラー４１の回転軸を支持する第１軸受４３ａを有している。第１軸受４３ａは、円環状であるが、環の一部が切り欠かれている。
【００２１】
第１支持板４３と同様に、第２支持板４４も、長手方向の一端にローラー４１の回転軸を支持する第２軸受４４ａを有している。但し、第２軸受４４ａは円環状であるが、第１軸受４３ａのような切り欠きはない。
【００２２】
ローラー４１の回転軸の一端はローラーギア３２が固定されており、ローラーギア３２の歯先円径がローラー４１の径より大きく、軸方向に沿った第１軸受４３ａへの挿入は不可能であるが、ローラー４１の回転軸の他端はローラーギア３２がないので、軸方向に沿った第２軸受４４ａへの挿入は可能である。その結果、ローラー４１の回転軸のうちローラーギア３２のない側の軸が第２軸受４４ａに挿入されたのち、ローラーギア３２のある側の軸が第１軸受４３ａの切り欠きから挿入される。
【００２３】
第１支持板４３のもう一方の端、つまり、第１軸受４３ａと反対側にある終端４３ｂは、環形状のフィルタ２１が進行方向を反転させる方向転換部であるので、端面は滑らかな曲面に仕上げられている。同様に、第２支持板４４のもう一方の端、つまり、第２軸受４４ａと反対側にある終端４４ｂも、環形状のフィルタ２１が進行方向を反転させる方向転換部であるので、端面は滑らかな曲面に仕上げられている。
【００２４】
第１支持板４３は、板幅のほぼ中央に、長手方向に沿って並ぶ複数の第１突起４３ｃを有している。同様に、第２支持板４４は、板幅のほぼ中央に、長手方向に沿って並ぶ複数の第２突起４４ｃを有している。第１突起４３ｃから第２突起４４ｃまでの最短距離は、フィルタ２１の幅より少し大きく設定されている。したがって、環形状のフィルタ２１が支持枠４０に掛け渡されたとき、フィルタ２１の端面は、第１突起４３ｃ、第２突起４４ｃと対峙する。
【００２５】
第１支持板４３のうち、フィルタ２１の端面近傍が載る部分を第１フィルタ受け部４３ｄとよび、第１突起４３ｃを挟んで第１フィルタ受け部４３ｄと反対側の部分を第１案内部４３ｅとよぶ。同様に、第２支持板４４のうち、フィルタ２１の端面近傍が載る部分を第２フィルタ受け部４４ｄとよび、第２突起４４ｃを挟んで第２フィルタ受け部４４ｄと反対側の部分を第２案内部４４ｅとよぶ。
【００２６】
複数の第１突起４３ｃは、終端４３ｂから第１軸受４３ａの方向に一定間隔で並んでいるが、第１軸受４３ａの一定距離手前で途切れている。また、第１突起４３ｃと並んで延びる第１案内部４３ｅも、第１突起４３ｃの並びが途切れた位置で終端面となっている。その結果、第１案内部４３ｅの終端面から第１軸受４３ａまでの間に第１切り欠き部４３ｆが形成される。
【００２７】
同様に、複数の第２突起４４ｃは、終端４４ｂから第２軸受４４ａの方向に一定間隔で並んでいるが、第２軸受４４ａの一定距離手前で途切れている。また、第２突起４４ｃと並んで延びる第２案内部４４ｅも、第２突起４４ｃの並びが途切れた位置で終端面となっている。その結果、第２案内部４４ｅの終端面から第２軸受４４ａまでの間に第２切り欠き部４４ｆが形成される。
【００２８】
ローラー４１の周面には、パイル織りされた織物基布が貼り付けられている。パイル織りとは、表面に短い繊維（パイル糸４１１ａ）が立つように織る方法であり、具体的には、衣類等に付着した糸屑や綿埃などを取り除く洋服ブラシの布部分がそれに相当する。
【００２９】
ローラー４１の外周面に立つパイル糸４１１ａはフィルタ２１の網目に入り込んでいるので、ローラー４１とフィルタ２１の間には滑りが生じ難くなっている。その結果、ローラー４１を回転させることによって、フィルタ２１が支持枠４０に沿って周回することができる。
【００３０】
（曲面支持部材４２）
曲面支持部材４２は、第１支持板４３の終端４３ｂと第２支持板４４の終端４４ｂとを結ぶ。曲面支持部材４２は、フィルタ２１の進行方向を反転させる部材であり、フィルタ２１が接触する部分は滑らかに仕上げられている。
【００３１】
図４は、図２のＡ−Ａ曲線を通る平面によって切断されたフィルタ清掃装置の断面図である。図４において、ローラー４１は回転曲面４１０によってフィルタ２１を支持し、曲面支持部材４２は滑らかな円周面に成形された固定曲面４２０を有する第１支持部４２１によってフィルタ２１を支持している。
【００３２】
曲面支持部材４２は、上記の第１支持部４２１のほかに第２支持部４２２を有している。第１支持部４２１は、フィルタ２１の正面側フィルタ部分２１１の端部および折り返し部分の大半を支え、第２支持部４２２は、主にフィルタ２１の背面側フィルタ部分２１２の端部を支える。第１支持部４２１と第２支持部４２２とによって略Ｊ字形状または略Ｕ字形状が形成されている。
【００３３】
図４正面視において、ローラー４１が反時計方向に回転しフィルタ２１が周回しているとき、塵埃はフィルタ２１に付着したまま、第２支持部４２２とフィルタ２１との間をすり抜け、さらに、第１支持部４２１とフィルタ２１との間をすり抜けて移動する。塵埃は、移動しながら成長してより大きい塊になるので、第１支持部４２１とフィルタ２１との間をすり抜けたとき、自重で第２支持部４２２の上に落下する。
【００３４】
落下した塵埃は、第２支持部４２２の鈍角に成形されたコーナーに溜まるので、第２支持部４２２は塵埃を貯留する塵埃貯留部の機能を果たしている。また、第２支持部４２２の上方に第１支持部４２１が位置し両者で略Ｕ字形状を形成しているので、時間の経過とともに塵埃が蓄積されても、塵埃が第１支持部４２１と第２支持部４２２とで囲まれた部分から溢れ出ることはない。また、第１支持部４２１と第２支持部４２２の長手方向の全長は、フィルタ２１の幅とほぼ同じであるので、第１支持部４２１と第２支持部４２２とで囲まれた部分は塵埃を収容する能力を十分に有している。
【００３５】
（横桟４５ａ）
図５は支持枠の拡大斜視図であり、図６は図５の支持枠の部分拡大斜視図である。図５、図６において、横桟４５ａでは、フィルタ２１と対峙する面に凹部４５ａａが形成されている。凹部４５ａａは、横桟４５ａがフィルタ２１と接触することを防ぐために形成されている。フィルタ２１が自身の移動方向と直交する部材と接触したとき、フィルタ２１に付着している塵埃はその部材に掻き取られて塊に成り易い。横桟４５ａは、フィルタ２１の移動方向と直交しているけれども、凹部４５ａａが形成されているので、フィルタ２１と接触しないか、或は接触する機会が少ない。それゆえ、横桟４５ａによって塵埃が掻き取られることが抑制されている。
【００３６】
また、横桟４５ａ以外のところで塵埃が掻き取られて塊になり、横桟４５ａに向かって移動してきた場合でも、図６に示すように、塵埃の塊は凹部４５ａａを介して通過するので、横桟４５ａの引っ掛かって留まることも抑制されている。
【００３７】
また、支持枠４０は、環形状のフィルタ２１を吸い込み空気の風上側にせり出させてフィルタ２１に湾曲部を形成するので、フィルタ２１に張力が作用して弛み難くなる。特に、フィルタ２１の風上側は、吸い込み空気の動圧によって窪んで横桟４５ａに接触し易くなるので、フィルタ２１を吸い込み空気の風上側にせり出させて湾曲部を形成することは、横桟４５ａとの接触を抑制することになる。結果的に、塵埃が横桟４５ａのエッジにたまって塊になることが抑制される。
【００３８】
（外側桟４６）
図４において、外側桟４６は、フィルタ２１を挟んでローラー４１と反対側からフィルタ２１の湾曲面に近接して対峙している。フィルタ２１のローラー４１と接触している部分は、進行方向に引っ張られる領域と進行方向に繰り出される領域とが隣接しており、繰り出される領域ではフィルタ２１に作用する張力が低下してフィルタ２１が波打つ可能性が高い。
【００３９】
しかし、外側桟４６が設けられることによって、波打ったフィルタ２１が他の部材と接触する前に外側桟４６に接触するので、仮にローラー４１の近傍に別の可動部材（例えば、図１に示すブラシ６１）が存在している場合でも、フィルタ２１が噛み込まれることがない。
【００４０】
（取っ手４８）
図３において、取っ手４８は、第１切り欠き部４３ｆおよび第２切り欠き部４４ｆに嵌め込まれて固定される。取っ手４８は、ハンドル４８ａと、固定部４８ｂと、保持部４８ｃとを有している。
【００４１】
固定部４８ｂは、ハンドル４８ａの根元部分を形成し、第１切り欠き部４３ｆおよび第２切り欠き部４４ｆに嵌まり込む。保持部４８ｃは、フィルタ２１を押して弛みを防止するテンションバー４７を保持する。
【００４２】
取っ手４８は、テンションバー４７の両端を保持し、フィルタ２１が掛け渡された支持枠４０の後方側から第１切り欠き部４３ｆ及び第２切り欠き部４４ｆを通って前方側へ出る。取っ手４８の固定部４８ｂが第１切り欠き部４３ｆ及び第２切り欠き部４４ｆに位置決めされととき、テンションバー４７は、フィルタ２１を支持枠４０側へ押した位置で停止する。その結果、フィルタ２１は、テンションバー４７によって弛みが解消され、支持枠４０に周回可能に支持された状態となる。
【００４３】
ハンドル４８ａの側面はフィルタ２１の両端面に近接して対向するので、フィルタ２１が支持枠４０を周回する際、フィルタ２１の両端が複数の第１突起４３ｃ、複数の第２突起４４ｃ、および取っ手４８のハンドル４８ａによって案内されるので、フィルタ２１の蛇行が防止される。
【００４４】
（第２支持枠５０）
図２及び図３において、第２支持枠５０は、第１側板５１、第２側板５２、第３側板５３、補強枠５４、および端部取付板５５を有している。第１側板５１、第２側板５２および第３側板５３は平行にほぼ等間隔で並んでいる。補強枠５４は、第１側板５１と第２側板５２との間、第２側板５２と第３側板５３との間に取り付けられる。端部取付板５５は、第１側板５１、第２側板５２及び第３側板５３の終端に各終端を覆うよう取り付けられる。
【００４５】
第１側板５１には、支持枠４０の第１案内部４３ｅを支持する案内溝５１ａが設けられている。また、第１側板５１の案内溝５１ａがない側には３つのモータが取り付けられ、案内溝５１ａがある側にギア列が取り付けられ、各モータの回転軸は第１側板５１を貫通してギア列に連結されている。
【００４６】
第２側板５２には、支持枠４０の第２案内部４４ｅを支持する案内溝５２ａと、支持枠４０の第１案内部４３ｅを支持する案内溝５２ｂとが設けられている。案内溝５２ａは第１側板５１に対峙する側に設けられ、案内溝５２ｂは案内溝５２ａと反対側に設けられている。第３側板５３には、支持枠４０の第２案内部４４ｅを支持する案内溝５３ａが設けられている。案内溝５３ａは、第２側板の案内溝５２ｂに対峙している。
【００４７】
案内溝５１ａ、５２ａ、５２ｂ、５３ａは２次曲線状に湾曲しており、その深さは第１案内部４３ｅ及び第２案内部４４ｅが完全に収まる程度の深さであり、長さは支持枠４０の第１支持板４３及び第２支持板４４の長さより短く、第１突起４３ｃ及び第２突起４４ｃの配列長さにほぼ等しい。
【００４８】
図３に示すように、第１側板５１に固定される３つのモータのうち、２つのモータがローラー４１を回転させるローラー駆動モータ３１であり、もう１つのモータがブラシ６１（図１参照）を回転させるブラシ駆動モータ６３である。ブラシ駆動モータ６３は、２つのローラー駆動モータ３１の下方に配置されている。
【００４９】
説明の便宜上、第１側板５１と第２側板５２とに支持されるローラー４１を右ローラー４１ａとよび、第２側板５２と第３側板５３とに支持されるローラー４１を左ローラー４１ｂとよぶ。下側のローラー駆動モータ３１は、右ローラー４１ａを回転させるため、ギア列３１ａを介して右ローラー４１ａのローラーギア３２を回転させる。上側のローラー駆動モータ３１は、左ローラー４１ｂを回転させるため、ギア列３１ｂおよび延長軸３１ｃを介して左ローラー４１ｂのローラーギア３２を回転させる。このように、ローラー４１、ローラーギア３２およびローラー駆動モータ３１が駆動機構３０（図４参照）を構成している。
【００５０】
ブラシ駆動モータ６３は、延長軸６３ａ及びギア列６３ｂを介してブラシ６１（図１参照）を回転させる。
【００５１】
補強枠５４は、フィルタ２１の進行方向に沿う複数の連結棒５４ａと、フィルタ２１の進行方向と直交する複数の補強棒５４ｂとによって格子が形成されており、一定の強度が確保されている。そして、フィルタ２１が接触する可能性のある部分は、滑らかな曲面に仕上げられている。
【００５２】
（支持枠４０の脱着）
支持枠４０は風上側に向かって凸となるように湾曲しているので、フィルタ２１も支持枠４０に追従して湾曲している。フィルタ２１が掛け渡された支持枠４０の湾曲は、まだ第２支持枠５０に比べて小さいので、作業者は、支持枠４０を湾曲させながら、第１案内部４３ｅを案内溝５１ａ，５２ｂに収め、第２案内部４４ｅを案内溝５２ａ，５３ａに収める。
【００５３】
支持枠４０の複数の第１突起４３ｃ及び複数の第２突起４４ｃは、間隔をあけて並んでいるので、第１支持板４３および第２支持板４４が湾曲し易くなっており、支持枠４０は湾曲し易く、容易に第２支持枠５０へ装着される。使用者は、第２支持枠５０から支持枠４０を取り出すとき、取っ手４８のハンドル４８ａを持って手前へ引くことによって、支持枠４０が引き出される。したがって、メンテナンス性が良い。
【００５４】
また、支持枠４０が第２支持枠５０に完全に装着されたとき、支持枠４０の反りは最大となり、フィルタ２１の正面側フィルタ部分２１１が、最大限に反った第１フィルタ受け部４３ｄ、第２フィルタ受け部４４ｄ、横桟４５ａ及び縦桟４５ｂの凸側部分に押し当てられ、弛みのない状態に変わる。
【００５５】
（フィルタ清掃運転）
空調室内機２は、本体１０にフィルタ清掃装置７０を制御する制御部（図示せず）を内蔵している。制御部は、空調室内機２の運転時間をカウントしており、前回のフィルタ清掃運転からの累積運転時間が所定時間（例えば、１８時間）に到達したとき、ブラシ６１を回転させながら、フィルタ２１を所定回数（例えば、１回）だけ周回させる。
【００５６】
その間、ブラシ６１の毛材がフィルタ２１の網目に入り込んで、その網目につまった塵埃を掻き出す。その塵埃は、ブラシ６１の下方に位置するダストボックス６０（図１参照）内に溜まる。なお、本実施形態に係る空調室内機２は、リモコン（図示せず）を使って強制的にフィルタ清掃運転を実行することもできる。
【００５７】
フィルタ２１の周回速度は低速（例えば、１回の周回動作に要する時間は約３分）であるので、フィルタ２１が左右いずれかの端に極端に偏ることはないが、仮に、フィルタ２１が偏りそうになっても、フィルタ２１の端面が突起４３ｃ及び突起４４ｃに対峙しているので、偏りが防止される。
【００５８】
＜特徴＞
（１）
空調室内機２では、支持枠４０がフィルタ２１の移動方向と交差する方向に延びる横桟４５ａを有している。塵埃は環形状のフィルタ２１に囲まれた空間に滞留し易いが、横桟４５ａにはフィルタ２１と対峙する面に凹部４５ａａが成形されているので、塵埃が掻き取られ難く、塵埃が横桟のエッジにたまって塊になることが抑制される。
【００５９】
（２）
空調室内機２では、支持枠４０が、環形状のフィルタ２１を吸い込み空気の風上側にせり出させてフィルタ２１に湾曲部を形成しているので、フィルタ２１に張力が作用して弛み難くなり、横桟４５ａとの接触が抑制される。その結果、塵埃が横桟４５ａに掻き取られ難く、塵埃が横桟４５ａのエッジにたまって塊になることが抑制される。
【００６０】
＜第１変形例＞
上記実施形態では、図５、図６に示すように横桟４５ａの凹部４５ａａはアーチ状であるが、それに限定されることはなく、フィルタ２１との接触を抑制することができる形状であればよい。
【００６１】
図７は、第１変形例に係る空調室内機が備えるフィルタ清掃装置の支持枠の部分拡大斜視図である。図７において、凹部４５ａａは、矩形の波形である。フィルタ２１に付着した塵埃は、凹部４５ａａの頂点に掻き取られるが、その頂点の両側の隙間を通って移動するので、横桟４５ａの周辺に滞留することが抑制される。
【００６２】
＜第２変形例＞
図８は、第２変形例に係る空調室内機が備えるフィルタ清掃装置の支持枠の部分拡大斜視図である。図８において、凹部４５ａａは、三角の波形である。フィルタ２１に付着した塵埃は凹部４５ａａの頂点に掻き取られるが、フィルタ２１との接触面が第１変形例よりも少ないので、掻き取られる量も第１変形例よりも少ない。掻き取られた塵埃は、凹部４５ａａの頂点の両側の隙間を通って移動するので、横桟４５ａの周辺に滞留することが抑制される。なお、凹部４５ａａの三角波の頂点は、フィルタ２１の網目を引っ掻かないように丸みを帯びている。
【００６３】
＜第３変形例＞
第１変形例および第２変形例では、横桟４５ａのフィルタ２１と対峙する面に凹部４５ａａが形成されていることが前提であるが、第３変形例では、凹部４５ａａの形成以外で、横桟４５ａとフィルタ２１との接触を避ける手段が採用されている。
【００６４】
図９は、第３変形例に係る空調室内機が備えるフィルタ清掃装置の支持枠の部分拡大斜視図である。図９において、横桟４５ａのフィルタ２１と対峙する上面４５ａｂは、縦桟４５ｂのフィルタ２１と対峙する上面４５ｂｂよりもフィルタから離れている。したがって、縦桟４５ｂが先にフィルタ２１に接触するのでフィルタ２１が弛まない限り横桟４５ａに接触しない。それゆえ、フィルタ２１が移動するとき、塵埃が横桟４５ａに掻き取られ難く、塵埃が横桟４５ａのエッジにたまって塊になることが抑制される。
【００６５】
〔他の実施形態〕
上記実施形態、第１変形例、第２変形例および第３変形例では、横桟４５ａとフィルタ２１とが接触する機会を減らして、横桟４５ａに塵埃が掻き取られることを抑制しているが、反対に、横桟４５ａが塵埃を掻き取ることを前提に、掻き取られた塵埃が一箇所に集合するような手段が採用されてもよい。
【００６６】
図１０は、他の実施形態に係る空調室内機が備えるフィルタ清掃装置の支持枠の斜視図である。図１０において、支持枠４０の横桟４５ａは、１つの縦桟４５ｂの下端から隣接する縦桟４５ｂの上端に向かって延びている。縦桟４５ｂの上端は曲面支持部材４２の第２支持部４２２に繋がっている。
【００６７】
フィルタ２１が周回しているとき、フィルタ２１に付着している塵埃が横桟４５ａのエッジに掻き取られたときでも、その塵埃は横桟４５ａの傾斜に沿って移動しながら縦桟４５ｂの上端に向かう。縦桟４５ｂの上端に達した塵埃は、フィルタ２１に付着したまま、第２支持部４２２とフィルタ２１との間をすり抜け、さらに、第１支持部４２１とフィルタ２１との間をすり抜けて移動する。塵埃は、移動しながら成長してより大きい塊になるので、第１支持部４２１とフィルタ２１との間をすり抜けたとき、自重で第２支持部４２２の上に落下する。その結果、フィルタ２１に囲まれた空間内に塵埃の塊が醜く散在するような事態は回避される。
【産業上の利用可能性】
【００６８】
以上のように、本発明によれば、塵埃がフィルタ２１に囲まれた空間内に散在することが抑制され、フィルタ２１が清浄に維持されるので、フィルタ自動清掃機能付きの空調室内機に有用である。
【符号の説明】
【００６９】
２  空調室内機
２１  フィルタ
４０  支持枠
４５ａ  横桟
４５ｂ  縦桟
４５ａａ  凹部
【先行技術文献】
【特許文献】
【００７０】
【特許文献１】特開２００９−８５５０４公報の実施例３
【図１】
2011080637.tif 000003
【図２】
2011080637.tif 000004
【図３】
2011080637.tif 000005
【図４】
2011080637.tif 000006
【図５】
2011080637.tif 000007
【図６】
2011080637.tif 000008
【図７】
2011080637.tif 000009
【図８】
2011080637.tif 000010
【図９】
2011080637.tif 000011
【図１０】
2011080637.tif 000012